(57)【要約】      （修正有）【課題】洗濯機等で洗濯する時に洗濯物の型崩れ防止、且つ、手もみ洗い効果を持ち、汚れ落ち効果が大きい洗濯物保護装置を提供する。【解決手段】洗濯物を保護する為、多角形か球形状の形をした、プラスチック製で、上部本体保護ボールと下部本体保護ボールの間にヒンジと留め具を備え、本体保護ボール２分割線で１８０度開閉出来る本体保護ボールと、その本体保護ボールの中に入れた洗濯物の中心部に、多角形か球形状で、程よい堅さ、柔らかさを合わせ持つ接触ボールを配置する。本体保護ボールの中心部から接触ボールが、即ち、洗濯物の内側から洗濯物に軽い衝撃を与える事で、洗濯物の内側から本体保護ボールにかけて手もみ洗い効果が出せ、接触ボールの程よい、重さ堅さが洗濯物の型崩れを守り、洗濯物を痛めず綺麗に洗う事が出来る。【選択図】図３
0003149201.tif 000002
【実用新案登録請求の範囲】
【請求項１】
洗濯物を保護する為、多角形か球形状のプラスチック製、本体プラスチックボールの中に入れた、洗濯物の中心部に、多角形か球形状の接触ボールを配置する事で、本体の中の接触ボールが、洗濯物の内側から洗濯物に軽い衝撃を与える事から、洗濯物を内側から手揉み洗い効果が出せ、又、接触ボールの程よい、重さ堅さが洗濯物の型崩れを守り、洗濯物を痛めず綺麗に洗う事が出来る事を特徴とする、洗濯物保護装置。
【考案の詳細な説明】
【技術分野】
【０００１】  本考案は、洗濯機等で洗濯する時に洗濯物の型崩れ防止、且つ、手もみ洗い効果を持ち、汚れ落ち効果が多大な洗濯物保護装置に関するものである。
【背景技術】
【０００２】  従来、この類の洗濯物保護装置は、本体である多角形か球形状のプラスチック製、径０，１８ｍ位の本体ボールと中に、径０，１ｍの軽いプラスチック製、小ボールだけの保護装置で、この保護装置の中で洗濯物を、洗濯機で洗うだけでは汚れが落ちにくいものであっり、中には本体ボールに洗濯物が擦れて大事な洗濯物の表面に毛羽立つ事があった。
【考案の開示】
【考案が解決しようとする課題】
【０００３】  しかし、従来のこのような多角形か球形状のプラスチック製、本体ボールと、小ボールの洗濯物保護装置は、洗濯機ドラムの回転ドラム水流だけで洗う状態は、硬い本体ボールと硬い小ボールで洗うため洗濯物の表面を痛めたり、又、洗濯物の汚れは落ちにくいという前述の欠点を解決しようとするものである。
【問題を解決するための手段】
【０００４】  本考案は、洗濯物保護装置の本体プラスチックボールと、突起物を設けた、柔らかい感触を持つ接触ボールをセットして洗う事により、本体プラスチックボールが、他の洗濯物と混ざり合いを防ぎ、又、本体プラスチックボールが洗濯ドラムに接触したり、ドラム回転時に中に入れられた、程よい重さ、程よい堅さを持ち合わせる接触ボールが、本体プラスチックボールの中に入れられた洗濯物を本体ボールとの間で、程よい力で洗濯物に接圧し、洗濯物を内側から優しく、手もみ洗いしている効果を作り出す、結果、洗濯物の汚れが綺麗に落ちる、従って、汚れの落ちにくいという問題点を解決している。
【考案の効果】
【０００５】  上述の様に、本考案の洗濯物保護装置は、本体プラスチックボールと、本体の中に入れられた洗濯物の中心部に接触ボールが入る事により、洗濯物が丸まって団子状態になる事を接触ボールが解放し、且つ、洗濯物を型崩れから護る、洗濯物の中には型崩れを嫌う物もあり、本体プラスチックボールと、程よい堅さ、重さを持つ接触ボールで、洗濯物の内側から手揉み洗い効果を有し、洗濯物はは型崩れせず綺麗に汚れを落とす事に役立つ。
【考案を実施するための最良の形態】
【０００６】  材質は、多少の高温度でも変化しない材質を使用する、形状としては、本体プラスチックボールは、多角形でも良いが球状が良い、又、本体プラスチックボールには、洗濯物の出し入れするため、２分割し、１８０度開かせるヒンジと洗濯時に本体ボールが開かぬよう留め具を装着する、本体プラスチックボールには容易に洗濯水を導入するように穴を開けておく、穴の大きさは０．０３ｍ前後が良い、中に入れる接触ボールも多角形でも良いが球状が良い、大きさは径０，０８ｍ前後が良い、そして接触ボールは、表面が平らでも優しいもみ洗い効果が有るが、接触ボール表面に多くの突起物を設けると洗濯効果が上がる、設けた突起物先端が多点で洗濯物と接圧するようにする、そして突起物と突起物の隙間に洗剤水流が入り込む事により、内側、外側から優しいもみ洗い効果が出る、従って汚れが綺麗に落ちる、本体プラスチックボールの大きさは、洗濯物と接触ボールを入れた時、接触ボールが中で、２〜３ｃｍ位、不規則に動ける位が汚れ落ち効果が多大で、０．１６ｍ前後が良い。
【実施例】
【０００７】  以下、添付図面に従って一実施例を説明する。１は洗濯物を入れる本体プラスチックボール、２は中に入る接触ボール、３は本体プラスチックボールの中に接触ボールを入れた実施例である。【０００８】  接触ボールに洗濯物で包む様にして本体プラスチックボールの中に入れ、留め具を閉め洗濯機で洗う、接触ボールは洗濯物の型崩れから守り、且つ、内側からも手揉み洗い効果で型崩れなく綺麗に洗える。【０００９】  本考案の一実施例は上述の如き構成からなるものであるから、汚れ落ち効果が多大で、簡単に洗濯物の汚れを型崩れなく綺麗に洗える。
【図面の簡単な説明】
【００１０】
【図１】本体プラスチックボールの鳥瞰図である。
【図２】接触ボールの鳥瞰図である。
【図３】本考案の洗濯保護装置の実施例の鳥瞰図である。
【符号の説明】
【００１１】  １    上部本体プラスチックボール
２    下部本体プラスチックボール
３    本体ボール２分割線
４    洗濯水取り込み穴
５    接触ボール
６    突起物
【図１】
0003149201.tif 000003
【図２】
0003149201.tif 000004
【図３】
0003149201.tif 000005
【手続補正書】
【提出日】平成20年12月12日(2008.12.12)
【手続補正１】
【補正対象書類名】実用新案登録請求の範囲
【補正対象項目名】全文
【補正方法】変更
【補正の内容】
【実用新案登録請求の範囲】
【請求項１】
洗濯物を保護する為、多角形か球形状の形をした、プラスチック製で、上部本体保護ボールと下部本体保護ボールの間にヒンジと留め具を備え、本体保護ボール２分割線で１８０度開閉出来る本体保護ボールと、その本体保護ボールの中に入れた洗濯物の中心部に、多角形か球形状で、程よい堅さ、柔らかさを合わせ持つ接触ボールを配置する事で、本体保護ボールの中心部から接触ボールが、即ち、洗濯物の内側から洗濯物に軽い衝撃を与える事で、洗濯物の内側から本体保護ボールにかけて手もみ洗い効果が出せ、接触ボールの程よい、重さ堅さが洗濯物の型崩れを守り、洗濯物を痛めず綺麗に洗う事が出来る事を特徴とする洗濯物保護装置。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本考案は、洗濯機等で洗濯する時に洗濯物の型崩れ防止、且つ、手もみ洗い効果を持ち、汚れ落ち効果が多大な洗濯物保護装置に関するものである。
【背景技術】
【０００２】  従来、この類の洗濯物保護装置は、本体である多角形か球形状のプラスチック製、径０，１８ｍ位の本体保護ボールと、本体保護ボール中に入れるプラスチック製、径０．１ｍの軽い小型ボールからなる保護装置で、本体保護ボールと小型ボールとの間で洗濯物が固定され、因って、洗濯物に洗濯水が絡みにくく、洗濯機の水流だけで洗うだけでは汚れが落ちにくいものであり、中には本体保護ボール、小型ボールに洗濯物が擦れて大事な洗濯物の表面に毛羽立つ事があった。
【考案の開示】
【考案が解決しようとする課題】
【０００３】  しかし、従来のこのような洗濯物保護装置は、多角形か球形状のプラスチック製、本体保護ボールと、本体保護ボール中に入れるプラスチック製、小型ボールからなる保護装置で、この場合は縦型洗濯機の場合、ドラムの回転水流だけで洗う状態であり、洗濯物が本体保護ボールと、小型ボールの間で固定してしまうため、洗濯物の汚れは落ちにくい、又、斜め方式ドラム洗濯機では、ドラムの上から洗濯物を落として洗う、叩き洗い方式では、洗濯物が固定しており、洗い効果はほとんど無い、又、落下したときに本体保護ボールが変形し、中の洗濯物が擦れ毛羽立ちが起こるという、前述の欠点を解決しようとするものである。
【課題を解決するための手段】
【０００４】本考案は、洗濯物を保護する為、多角形か球形状の形をした、プラスチック製で、上部本体保護ボールと下部本体保護ボールの間にヒンジと留め具を備え、本体保護ボール２分割線で１８０度開閉出来る本体保護ボールと、その本体保護ボールの中に入れた洗濯物の中心部に、多角形か球形状で、程よい堅さ、柔らかさを合わせ持つ接触ボールを配置する事で、本体保護ボールの中心部から接触ボールが、即ち、洗濯物の内側から洗濯物に軽い衝撃を与える事で、洗濯物の内側から本体保護ボールにかけて手もみ洗い効果が出せ、接触ボールの程よい、重さ堅さが洗濯物の型崩れを守り、洗濯物を痛めず綺麗に洗う事が出来る事を特徴とする洗濯物保護装置で、汚れ落ちにくい問題点を解決している。
【考案の効果】
【０００５】  上述の様に、本考案の洗濯物保護装置は、本体保護ボールと、本体の中に入れられた洗濯物の中心部に接触ボールが入る事により、固と柔の組み合わせになり、従来の装置の、固と固の組み合わせで洗濯物が固定される事無く洗濯される、且つ、洗濯物を型崩れから護る、洗濯物の中には型崩れを嫌う物もあり、本体保護ボールと、程よい柔さ、重さを持つ接触ボールが、洗濯物の内側から洗濯物に軽い衝撃を与え手揉み洗い効果を有し、洗濯物は型崩れせず綺麗に汚れを落とす事に役立つ。
【考案を実施するための最良の形態】
【０００６】  材質は、多少の高温度でも変化しない材質を使用する、形状としては、本体保護ボールは、多角形でも良いが球状が良い、又、本体保護ボールには、洗濯物の出し入れするため、２分割し、１８０度開かせるヒンジと洗濯時に本体保護ボールが開かぬよう留め具を装着する、本体保護ボールには容易に洗濯水を導入するように穴を開けておく、穴の大きさは０．０３ｍ前後が良い、中に入れる接触ボールも多角形でも良いが球状が良い、大きさは径０，０８ｍ前後が良い、そして接触ボールは、表面が平らでも優しいもみ洗い効果が有るが、接触ボール表面に多くの突起物を設けると洗濯効果が上がる、設けた突起物先端が多点で洗濯物と接圧するようにする、そして突起物と突起物の隙間に洗剤水流が入り込む事により、内側、外側から優しいもみ洗い効果が出る、従って汚れが綺麗に落ちる、本体保護ボールの大きさは、洗濯物と接触ボールを入れた時、接触ボールが中で、２〜３ｃｍ位、不規則に動ける位が汚れ落ち効果が多大で、０．１６ｍ前後が良い、接触ボールが２〜３ｃｍ位、不規則に動く事により、接触ボールが中心部内側から洗濯物に軽い衝撃を与え手揉み洗い効果が生じる。
【実施例】
【０００７】  以下、添付図面に従って一実施例を説明する。図１は洗濯物を入れる本体保護ボール、図２は中に入る接触ボール、図３は本体保護ボールの中に接触ボールを入れた実施例である。【０００８】  接触ボール５に洗濯物で包む様にして、上部本体保護ボール１と２に付属している留め具をはずし、上部本体保護ボール１と下部本体保護ボール２を開き洗濯物を中に入れ、本体保護ボール１、２  を閉じて、留め具を施錠し洗濯機で洗う、接触ボール５は洗濯物の型崩れから守り、且つ、内側からも手揉み洗い効果で型崩れなく綺麗に洗える。【０００９】  本考案の一実施例は上述の如き構成からなるものであるから、汚れ落ち効果が多大で、簡単に洗濯物の汚れを型崩れなく綺麗に洗える。
【図面の簡単な説明】
【００１０】
【図１】本体保護ボールの鳥瞰図である。
【図２】接触ボールの鳥瞰図である。
【図３】本考案の洗濯保護装置の本体ネット袋を１部分透視した実施例の鳥瞰図である。
【符号の説明】
【００１１】  １    上部本体保護ボール
２    下部本体保護ボール
３    本体保護ボール２分割線
４    洗濯水取り込み穴
５    接触ボール
６    突起物